(57)【要約】【課題】支持脚の設置安定性と肘掛けの把持のし易さを確保しつつ、歩行者がベース部の前部領域の上方に足先を踏み入れることによる歩行者の躓きや椅子部材との強接触を未然に防止することができる椅子を提供する。【解決手段】椅子は、一対の支持脚１１と、支持脚１１に架設される座１２を備えている。少なくとも一方の支持脚１１は、ベース部１４と、支持脚本体１５と、肘掛け１６と、前縁造形部材１７と、を備えている。支持脚本体１５は、ベース部１４の前端部よりも後方側位置から上方に起立する。肘掛け１６は、支持脚本体１５の上部前面よりも前方に延びる前方延出部１６ｂを有する。前縁造形部材１７は、支持脚本体１５に取り付けられ、ベース部１４の前部領域の上部で、支持脚本体１５の前面よりも前方に張り出し、かつ、前方延出部１６ｂの下面との間で前方側に開口する凹部２０を形成する。【選択図】図４
2020028678.tif 000002
【特許請求の範囲】
【請求項１】
設置面に離間して設置される一対の支持脚と、
一対の前記支持脚に架設される座と、を備えた椅子において、
少なくとも一方の前記支持脚は、
前記設置面に固定されるベース部と、
前記ベース部の前端部よりも後方側位置から上方に起立する支持脚本体と、
前記支持脚本体の上部に配置されるとともに、前記支持脚本体の上部前面よりも前方に延びる前方延出部を有する肘掛けと、
前記支持脚本体に取り付けられ、前記ベース部の前部領域の上部において、前記支持脚本体の前面よりも前方に張り出すとともに、前記前方延出部の下面との間で前方側に開口する凹部を形成する前縁造形部材と、を備えていることを特徴とする椅子。
【請求項２】
前記前縁造形部材は、
前記支持脚本体の前面から少なくとも前記ベース部の前端部と略同一位置まで突出する最大突出領域と、
前記最大突出領域の上方にあって前記前方延出部の下面との間で前記凹部を形成する凹部形成領域と、を備えていることを特徴とする請求項１に記載の椅子。
【請求項３】
前記最大突出領域の前端面は、鉛直方向に略沿う面を構成し、
前記凹部形成領域の前端面は、前記最大突出領域の前端面との隣接位置から後方に向かって上方傾斜する傾斜面を構成していることを特徴とする請求項２に記載の椅子。
【請求項４】
前記支持脚は、前記支持脚本体に取り付けられるとともに、前記支持脚本体の後面よりも後方に張り出す後縁造形部材をさらに備え、
前記後縁造形部材は、前記前縁造形部材を上下反転させた形状に形成されていることを特徴とする請求項３に記載の椅子。
【発明の詳細な説明】
【技術分野】
【０００１】
本発明は、肘掛けを備えた椅子に関するものである。
【背景技術】
【０００２】
劇場等で使用される椅子として、座を支持する一対の支持脚の上部に肘掛けを備えたものが知られている（例えば、特許文献１参照）。
【０００３】
特許文献１に記載の椅子は、前後方向に長い支持脚のベース部が施設の床面上に固定設置され、ベース部の前端部よりも後方側位置から支持脚本体が上方に起立している。支持脚本体は、ベース部よりも前後幅が狭く形成され、その上部には肘掛けが取り付けられている。肘掛けは、その前縁部が支持脚本体の前面よりも前方に延出している。
【０００４】
特許文献１に記載の椅子では、肘掛けの前縁部が支持脚本体の前面よりも前方に延出しているため、肘掛けの上面に腕を載せた着座者は、肘掛けの前端部からその下面側に容易に指先を回り込ませることができる。このため、着座者は、椅子から立ち上がる際等に肘掛けの前端部を安定して把持することができる。また、特許文献１に記載の椅子では、支持脚のベース部が支持脚本体よりも前方に延出しているため、肘掛けの前部に上方から荷重がかかったときにも、ベース部によって支持脚の設置安定性を確保することができる。
【先行技術文献】
【特許文献】
【０００５】
【特許文献１】特許第５２２０３２７号公報
【発明の概要】
【発明が解決しようとする課題】
【０００６】
特許文献１に記載の椅子は、支持脚の設置安定性と肘掛けの把持のし易さを確保することができるものの、ベース部の前部領域の上方に比較的大きな空間部が形成されるため、椅子の近傍を歩く歩行者が、ベース部の前部領域の上方の空間部に誤って足先を踏み入れてしまう可能性がある。そして、歩行者がベース部の前部領域の上方の空間部に足先を踏み入れると、歩行者の足がベース部に当たって歩行者が躓いたり、歩行者の脚部が肘掛けや支持脚本体の前部等に強接触したりする可能性がある。
【０００７】
そこで本発明は、支持脚の設置安定性と肘掛けの把持のし易さを確保しつつ、歩行者がベース部の前部領域の上方に足先を踏み入れることによる歩行者の躓きや椅子部材との強接触を未然に防止することができる椅子を提供しようとするものである。
【課題を解決するための手段】
【０００８】
本発明に係る椅子は、上記課題を解決するために、以下の構成を採用した。
即ち、本発明に係る椅子は、設置面に離間して設置される一対の支持脚と、一対の前記支持脚に架設される座と、を備えた椅子において、少なくとも一方の前記支持脚は、前記設置面に固定されるベース部と、前記ベース部の前端部よりも後方側位置から上方に起立する支持脚本体と、前記支持脚本体の上部に配置されるとともに、前記支持脚本体の上部前面よりも前方に延びる前方延出部を有する肘掛けと、前記支持脚本体に取り付けられ、前記ベース部の前部領域の上部において、前記支持脚本体の前面よりも前方に張り出すとともに、前記前方延出部の下面との間で前方側に開口する凹部を形成する前縁造形部材と、を備えていることを特徴とする。
【０００９】
上記の構成において、前縁造形部材が支持脚本体に取り付けられると、前縁造形部材は、ベース部の前部領域の上部を覆い、かつ、肘掛けの前方延出部の下方に前方側に開口する凹部を形成する。このため、肘掛けの近傍を歩行する歩行者が、誤ってベース部の前部領域の上方に足先を踏み入れることが無くなるとともに、着座者が、前方延出部の下方の凹部に手を差し入れて肘掛けを容易に把持することが可能になる。また、支持脚は、支持脚本体よりも前方に延出するベース部により、肘掛けの前縁部にかかる荷重を設置面上に安定して支持させることができる。
【００１０】
前記前縁造形部材は、前記支持脚本体の前面から少なくとも前記ベース部の前端部と略同一位置まで突出する最大突出領域と、前記最大突出領域の上方にあって前記前方延出部の下面との間で前記凹部を形成する凹部形成領域と、を備える構成としても良い。
この場合、前縁造形部材の上部の凹部形成領域が肘掛けの前方延出部の下方に着座者の指先を差し入れ易い凹部を形成し、かつ、前縁造形部材の最大突出領域がベース部の前部領域の上部の広い範囲を覆うことになる。したがって、この構成を採用した場合には、肘掛けに対する着座者の容易な指掛けを実現することができるとともに、ベース部での歩行者の躓きを確実に防止することができる。
【００１１】
前記最大突出領域の前端面は、鉛直方向に略沿う面を構成し、前記凹部形成領域の前端面は、前記最大突出領域の前端面との隣接位置から後方に向かって上方傾斜する傾斜面を構成するようにしても良い。
この場合、前縁造形部材の最大突出領域によってベース部の前部領域の上部を最大限広く覆うことができるとともに、最大突出領域と凹部形成領域の前端面間の屈曲形状を緩やかにすることができる。このため、歩行者の身体が最大突出領域と凹部形成領域の間の屈曲形状部分に接触することがあっても、歩行者が怪我をするのを未然に防止することができる。
【００１２】
前記支持脚は、前記支持脚本体に取り付けられるとともに、前記支持脚本体の後面よりも後方に張り出す後縁造形部材をさらに備え、前記後縁造形部材は、前記前縁造形部材を上下反転させた形状に形成されるようにしても良い。
この場合、後縁造形部材の上部側の後端面は鉛直方向に略沿う面を構成し、後縁造形部材の下部側の後端面は、上部から前下方に傾斜する傾斜面を構成する。このため、支持脚本体の上部後方側を、後縁造形部材の上部側の肉厚部分で保護することができるとともに、後縁造形部材の前下方に傾斜する傾斜面部分により、後席に着座した着座者の足元が入り込むスペースを確保することができる。また、後縁造形部材と前縁造形部材とが上下を反転した形状とされているため、後縁造形部材と前縁造形部材とで同じ部品を上下反転させてそのまま用いることもできる。この場合、後縁造形部材や前縁造形部材の破損等に備えて用意する予備交換部品の種類を減らすことができ、交換部品の管理が容易になる。
【発明の効果】
【００１３】
本発明では、支持脚本体に取り付けられる前縁造形部材が、ベース部の前部領域の上部を覆い、かつ、肘掛けの前方延出部の下方に前方に開口する凹部を形成している。このため、前方延出部の下方の凹部によって着座者による肘掛けの把持のし易さを確保しつつ、前縁造形部材がベース部の前部領域の上部を覆うことにより、歩行者がベース部の前部領域の上方に足先を踏み入れるのを規制することができる。また、ベース部が支持脚本体よりも前方に延出していることから、ベース部によって支持脚の設置安定性を高めることができる。したがって、本発明によれば、支持脚の設置安定性と肘掛けの把持のし易さを確保しつつ、歩行者がベース部の前部領域の上方に足先を踏み入れることによる歩行者の躓きや椅子部材との強接触を未然に防止することができる。
【図面の簡単な説明】
【００１４】
【図１】本発明の一実施形態の椅子の正面図である。
【図２】本発明の一実施形態の椅子の平面図である。
【図３】本発明の一実施形態の椅子の斜視図である。
【図４】本発明の一実施形態の椅子の側面図である。
【図５】本発明の一実施形態の椅子の図２のＶ−Ｖ線に沿う断面図である。
【図６】本発明の一実施形態の椅子の一部を拡大して示した斜視図である。
【発明を実施するための形態】
【００１５】
以下、本発明の一実施形態を図面に基づいて説明する。
本実施形態の椅子１０は、劇場や講堂等に設置される椅子である。なお、以下の説明において、前後、左右、上下の各呼称は、特別に断らない限り、着座者が正規姿勢で着座したときにおける着座者を中心とした向きと合致する向きを意味するものとする。
【００１６】
図１，図２は、本実施形態の椅子１０（連結椅子１）の正面図と平面図である。
本実施形態の椅子１０は、２つの椅子１０が横方向に一体に連結された連結椅子１として構成されている。連結椅子１は、施設の床面Ｆ上に横一列に所定数並べて設置される。連結椅子１の横並びの列は、前後に所定距離離間して施設の床面Ｆ上に複数設置される。そして、前後の連結椅子１の間には、歩行者が通り抜け可能なスペースが確保されている。また、連結椅子１の少なくとも一方の側方には、歩行者が歩行する通路が設けられている。
【００１７】
連結椅子１は、左右方向に所定の間隔をおいて床面Ｆ（設置面）上に設置された複数の（３つの）支持脚１１と、隣接する支持脚１１に架設されて着座者の臀部を支持する複数の（２つの）座１２と、隣接する支持脚１１に取り付けられて着座者の背部を支持する複数の（２つの）背凭れ１３と、を備えている。連結椅子１は、隣接する支持脚１１間に、それぞれ座１２と背凭れ１３を持つ２つの単体の椅子１０が形成されている。
なお、本実施形態では、２つの椅子１０が横並びに一体に連結されて連結椅子１が構成されているが、横並びに一体に連結する椅子１０の数は２つに限らず任意である。また、椅子１０は、連結椅子１に限らず、一対の支持脚１１と、各一つの座１２と背凭れ１３とを持つ単体の椅子であっても良い。
【００１８】
図３は、連結椅子１の左側の一方の椅子１０を左前部上方から見た図であり、図４は、連結椅子１の左側の一方の椅子１０を左側方から見た図である。図５は、図２の左側の椅子１０のＶ−Ｖ線に沿う断面を示す図である。
各椅子１０の左右両側に配置される支持脚１１は、アンカボルト等によって床面Ｆ上固定される前後に長尺なベース部１４と、ベース部１４の前端部よりも後方側位置から上方に起立する支持脚本体１５と、支持脚本体１５の上部に取り付けられる肘掛け１６と、支持脚本体１５の前部に取り付けられる前縁造形部材１７と、を備えている。側方の通路に臨む支持脚１１は、支持脚本体１５の後部に取り付けられる後縁造形部材１８をさらに備えている。
【００１９】
支持脚本体１５は、側面視が縦長の長方形状で、略一定幅の板状の外面形状に形成されている。通路側に臨む端部の支持脚１１の支持脚本体１５の外側面には、歩行者に連結椅子１の位置を知らせ、かつ、通路の足元を照らすための客室誘導灯２１が取り付けられている。支持脚本体１５は、複数の板状部材が組付けられて成り、内部に、座１２の図示しない支持機構や、客室誘導灯２１の電気配線等が収容されている。
【００２０】
左右で隣接する支持脚本体１５には、座１２の支持軸１９が架設されている。支持軸１９の各端部は、支持脚本体１５内の支持機構に支持されている。座１２は、支持軸１９に跳ね上げ回動可能に支持されている。座１２は、使用時には前方に略水平に倒され、不使用時には図示しないリターンスプリングの力によって後上方に跳ね上げられる。
【００２１】
また、支持脚本体１５の椅子幅方向の内側面には、後方側に向かって延出した後に椅子幅方向の内側に屈曲する図示しない連結プレートが取り付けられている。背凭れ１３は、連結プレートを介して左右の支持脚本体１５に架設されている。
【００２２】
各支持脚本体１５の上部に配置される肘掛け１６は、支持脚本体１５の前面（上部前面）よりも前方に延びる前方延出部１６ｂを有している。前方延出部１６ｂは、支持脚本体１５の上面に載置されて取り付けられる肘掛け本体部１６ａの前部に連設されている。
【００２３】
前方延出部１６ｂは、肘掛け本体部１６ａと同じ上下厚みの厚肉部１６ｂ−１と、厚肉部１６ｂ−１の半分以下の上下厚みの薄肉部１６ｂ−２と、厚肉部１６ｂ−１と薄肉部１６ｂ−２の間にあって上下厚みが厚肉部１６ｂ−１から薄肉部１６ｂ−２に向かって連続的に変化する接続部１６ｂ−３と、を有している。肘掛け本体部１６aと前方延出部１６ｂの上面は、連続した平坦面によって形成されている。前方延出部１６ｂには、座１２に着座した着座者が上方から指先を掛けられるようになっている。着座者の指先は、前方延出部１６ｂの前端部を回り込んで薄肉部１６ｂ−２の下面に掛けられる。
【００２４】
前縁造形部材１７は、支持脚本体１５とほぼ同厚み（椅子幅方向についてほぼ同厚み）に形成されている。前縁造形部材１７は、支持脚本体１５の前面からベース部１４の前端部と略同位置まで前方に突出する最大突出領域１７ａと、最大突出領域１７ａの上部にあって肘掛け１６の前方延出部１６ｂ（薄肉部１６ｂ−２および接続部１６ｂ−３）の下面との間で凹部２０を形成する凹部形成領域１７ｂと、を備えている。凹部２０は、椅子１０の前方側に向かって開口している。最大突出領域１７ａは、ベース部１４の前部領域の上部において、支持脚本体１５の前面よりも前方に略矩形状に張り出している。なお、前縁造形部材１７の最大突出領域１７ａは、少なくともベース部１４の前端部と略同一位置まで突出していれば良く、ベース部１４の前端部よりも前方側に突出しても良い。
【００２５】
本実施形態の場合、最大突出領域１７ａの前端面１７ａ−１は、ベース部１４の前端面１４ａと面一な鉛直面によって構成されている。また、凹部形成領域１７ｂの前端面１７ｂ−１は、最大突出領域１７ａの前端面１７ａ−１との隣接位置から後方に向かって上方傾斜する傾斜面を構成している。
【００２６】
図６は、支持脚１１の前部上方を左斜め上方から見た図である。なお、図６においては、前縁造形部材１７が仮想線で示されている。
前縁造形部材１７は、支持脚本体１５の前面に脱着可能に取り付けられている。具体的には、支持脚本体１５の前面には、複数のだるま孔２２が形成されており、前縁造形部材１７の後面には、だるま孔２２に対して頭部２３ａが係脱可能な係止ボルト２３が取り付けられている。だるま孔２２は、係止ボルト２３の頭部２３ａが挿入される大径孔２２ａが長孔２２ｂの上部に連設されている。前縁造形部材１７は、肘掛け１６を支持脚本体１５の上部に取り付ける前に、だるま孔２２の大径孔２２ａに係止ボルト２３の頭部２３ａを挿入し、その状態で全体を下方にスライドさせることにより、支持脚本体１５の前面に係止固定される。また、前縁造形部材１７を支持脚本体１５から取り外す場合には、先に肘掛け１６を支持脚本体１５の上部から取り外し、その状態で前縁造形部材１７の全体を上方にスライドさせることにより、係止ボルト２３の頭部２３ａをだるま孔２２の大径孔２２ａから離脱させる。
【００２７】
後縁造形部材１８は、側方の通路に臨む支持脚１１に設けられている。本実施形態の場合、中央の支持脚１１には、後縁造形部材１８は設けられていない。後縁造形部材１８は、支持脚本体１５の後面に脱着可能に取り付けられている。後縁造形部材１８は、支持脚本体１５の後面よりも後方側に張り出すように支持脚本体１５の後面に取り付けられている。
【００２８】
後縁造形部材１８は、前縁造形部材１７を上下反転させた形状に形成されている。実際には、後縁造形部材１８は、前縁造形部材１７を上下反転させて用いている。後縁造形部材１８は、支持脚本体１５の後面から後方に最大に突出する最大突出領域１８ａと、後端面１８ｂ−１が最大突出領域１８ａの後端面１８ａ−１の下端から前下方に傾斜する傾斜領域１８ｂと、を備えている。最大突出領域１８ａの後端面１８ａ−１は鉛直面によって構成されている。支持脚本体１５の後面には、前面側と同様に図示しないだるま孔が形成されており、後縁造形部材１８の前端面には、図示しない係止ボルトが突設されている。後縁造形部材１８は、係止ボルトを支持脚本体１５のだるま孔に係止することによって支持脚本体１５に取り付けられている。
なお、側方の通路に臨む支持脚１１では、ベース部１４の後端面１４ｂが、後縁造形部材１８の傾斜領域１８ｂの後端面１８ｂ−１の傾斜に連続するように傾斜している。
【００２９】
本実施形態の各椅子１０は、肘掛け１６の前部に、支持脚本体１５の上部前面よりも前方に延出する前方延出部１６ｂが設けられ、その前方延出部１６ｂの下方側に前方側に開口する凹部２０が設けられている。このため、椅子１０の座１２に着座した着座者は、肘や腕先を肘掛け１６の上に載せ、その状態で肘掛け１６の前方延出部１６ｂの先端部を容易に把持することができる。具体的には、着座者は、指を前方延出部１６ｂの前端部に上方から掛け、折り曲げた指先を、前方延出部１６ｂの薄肉部１６ｂ−２の下面側に回り込ませることができる。このため、着座者は、肘掛け１６の前方延出部１６ｂを容易に把持することができる。したがって、着座者は、肘掛け１６の前方延出部１６ｂを把持して座１２から容易に立ち上がることができる。
【００３０】
以上のように、本実施形態の椅子１０は、支持脚本体１５に前縁造形部材１７が取り付けられ、その前縁造形部材１７がベース部１４の前部領域の上部を覆い、かつ、肘掛け１６の前方延出部１６ｂの下方に凹部２０を形成している。このため、肘掛け１６の前方延出部１６ｂの下方の凹部２０によって着座者による肘掛け１６の前部の把持のし易さを確保しつつ、前縁造形部材１７がベース部１４の前部領域の上部を覆うことにより、歩行者がベース部１４の前部領域の上方に足先を踏み入れるのを制限することができる。また、本実施形態の椅子１０では、支持脚１１のベース部１４が支持脚本体１５よりも前方に延出しているため、ベース部１４によって支持脚１１の設置安定性、特に、肘掛け１６の前縁部に大きな荷重が掛ったときにおける支持脚１１の設置安定性を高めることができる。
よって、本実施形態の椅子１０を採用した場合には、支持脚１１の設置安定性と肘掛け１６の把持のし易さを確保しつつ、歩行者がベース部１４の前部領域の上方に足先を踏み入れることによる歩行者の躓きや椅子部材との強接触を未然に防止することができる。
【００３１】
また、本実施形態の椅子１０では、前縁造形部材１７が、支持脚本体１５の前面からベース部１４の前端部と略同一位置まで突出する最大突出領域１７ａと、最大突出領域１７ａの上方にあって前方延出部１６ｂの下面との間で凹部２０を形成する凹部形成領域１７ｂと、を備えている。このため、前縁造形部材１７の上部の凹部形成領域１７ｂによって肘掛け１６の前方延出部１６ｂの下方に着座者の指先を差し入れ易くすることができるとともに、前縁造形部材１７の最大突出領域１７ａによってベース部１４の前部領域の上部の広い範囲を覆うことができる。したがって、本実施形態の椅子１０を採用した場合には、肘掛け１６に対する着座者の容易な指掛けを実現することができるとともに、ベース部１４での歩行者の躓きを確実に防止することができる。
【００３２】
さらに、本実施形態の椅子１０では、前縁造形部材１７の最大突出領域１７ａの前端面が鉛直方向に略沿う面を構成し、凹部形成領域１７ｂの前端面が、最大突出領域１７ａの前端面との隣接位置から後方に向かって上方傾斜する傾斜面を構成している。このため、前縁造形部材１７の最大突出領域１７ａによってベース部１４の前部領域の上部を最大限広く覆うことができ、かつ、凹部形成領域１７ｂの前端の傾斜面によって最大突出領域１７ａと凹部形成領域１７ｂの前端面間の屈曲形状を緩やかにすることができる。したがって、本実施形態の椅子１０を採用した場合には、ベース部１４での歩行者の躓きをより確実に防止することができるとともに、歩行者の身体が最大突出領域１７ａと凹部形成領域１７ｂの間の屈曲形状部分に接触することがあっても、歩行者が怪我をするのを未然に防止することができる。
【００３３】
また、本実施形態の椅子１０では、側方の通路に臨む端部の支持脚１１に後縁造形部材１８が設けられ、その後縁造形部材１８が、支持脚本体１５の後面よりも後方に張り出すように支持脚本体１５に取り付けられている。そして、後縁造形部材１８は、前縁造形部材１７を上下反転させた形状に形成されており、後縁造形部材１８の上部側の後端面が鉛直方向に略沿う面を構成し、後縁造形部材１８の下部側の後端面が、上部から前下方に傾斜する傾斜面を構成している。このため、支持脚本体１５の上部後方側を、後縁造形部材１８の上部側の肉厚部分で保護することができ、かつ、後縁造形部材１８の前下方に傾斜する傾斜面部分により、後席に着座した着座者の足元が入り込むスペースを確保することができる。
【００３４】
さらに、本実施形態の椅子１０においては、後縁造形部材１８と前縁造形部材１７とが上下を反転した形状とされているため、後縁造形部材１８と前縁造形部材１７とで同じ部品を上下反転させてそのまま用いることができる。したがって、後縁造形部材１８や前縁造形部材１７の破損等に備えて用意する予備交換部品の種類を減らすことができる。よって、本実施形態の構成を採用した場合には、交換部品の管理が容易になる。
【００３５】
なお、本発明は上記の実施形態に限定されるものではなく、その要旨を逸脱しない範囲で種々の設計変更が可能である。
【符号の説明】
【００３６】
１０  椅子
１１  支持脚
１２  座
１４  ベース部
１５  支持脚本体
１６  肘掛け
１６ｂ  前方延出部
１７  前縁造形部材
１７ａ  最大突出領域
１７ｂ  凹部形成領域
１８  後縁造形部材
２０  凹部
Ｆ  床面（設置面）
【図１】
2020028678.tif 000003
【図２】
2020028678.tif 000004
【図３】
2020028678.tif 000005
【図４】
2020028678.tif 000006
【図５】
2020028678.tif 000007
【図６】
2020028678.tif 000008